(57)【要約】【課題】簡単な構成で、ターゲット以外の無線タグとの無線通信を規制し、ターゲットの無線タグとの無線通信を可能とする。【解決手段】無線タグ１５を所定間隔を存して搬送路８に沿って順次、無線通信位置９に搬送する搬送手段１０と、この搬送手段１０によって無線通信位置９に搬送される無線タグ１５に対し無線通信を行なう無線通信手段１１と、この無線通信手段１１から無線通信位置９以外の無線タグ１５に向かう無線通信を遮るように搬送路８に沿って設けられた金属シート３３、及びこの金属シート３３に沿って該金属シート３３と無線通信手段１１との間に位置して設けられた電波吸収シート３５とからなる電波遮断手段２０とを具備する。【選択図】      図１
2010074669.tif 000002
【特許請求の範囲】
【請求項１】
無線タグを搬送路に沿って順次、無線通信位置に搬送する搬送手段と、
この搬送手段によって前記無線通信位置に搬送される前記無線タグに対し無線通信を行なう無線通信手段と、
この無線通信手段から前記無線通信位置以外の前記無線タグに向かう電波を遮るように前記搬送路に沿って設けられた金属シート、及びこの金属シートに沿って該金属シートと前記無線通信手段との間に位置して設けられた電波吸収シートとからなる電波遮断手段と
を具備することを特徴とする無線通信装置。
【請求項２】
無線タグを搬送路に沿って順次、無線通信位置に搬送する搬送手段と、
この搬送手段によって前記無線通信位置に搬送される前記無線タグに対し無線通信を行なう無線通信手段と、
この無線通信手段から前記無線通信位置以外の前記無線タグに向かう電波を遮るように前記搬送路に沿って設けられた金属シート、及びこの金属シートに沿って該金属シートと前記無線通信手段との間に位置して設けられた電波吸収シートとからなる電波遮断手段と、
前記無線通信手段によって無線通信された前記無線タグの表面に情報を印字する印字手段と
を具備することを特徴とする印刷装置。
【発明の詳細な説明】
【技術分野】
【０００１】
本発明は、ＩＣチップとアンテナを含んで構成される無線タグを複数配置した台紙を搬送し、搬送される各無線タグに対して無線通信により情報の読み取りや書き込みを行なう無線通信装置、及び印刷装置に関する。
【背景技術】
【０００２】
従来、ＲＦＩＤ（Radio Frequency Identification）タグなどと呼ばれている無線タグと無線通信する無線通信装置としては、所定間隔を存して搬送される複数の無線タグに無線通信により情報を書き込む機能を備えたものが知られている。そして、無線タグに情報を書き込むときには、書き込みしようとする無線タグだけと無線通信し、ターゲット以外の無線タグとは無線通信することのないようにしている（例えば、特許文献１参照）。
【特許文献１】特開２００５−１９０２１６号公報（第４頁、図４）
【発明の開示】
【発明が解決しようとする課題】
【０００３】
しかしながら、特開２００５−１９０２１６号公報に開示されるものは、ターゲット以外の無線タグとの無線通信を規制するために、複雑な構成を必要としていた。即ち、搬送面を形成する金属部材、この金属部材の下面に設けられる誘電部材、無線通信部のアンテナを収納する金属ケースなどを必要としているため、構成的に複雑化し、コスト高になるという不都合があった。
【０００４】
本発明は上記事情に着目してなされたもので、その目的とするところは、簡単な構成で、ターゲット以外の無線タグとの無線通信を規制し、ターゲットの無線タグとのみ確実に無線通信できるようにした無線通信装置及び印刷装置を提供することにある。
【課題を解決するための手段】
【０００５】
上記課題を解決するため、本発明の無線通信装置は、無線タグを搬送路に沿って順次、無線通信位置に搬送する搬送手段と、この搬送手段によって前記無線通信位置に搬送される前記無線タグに対し無線通信を行なう無線通信手段と、この無線通信手段から前記無線通信位置以外の前記無線タグに向かう電波を遮るように前記搬送路に沿って設けられた金属シート、及びこの金属シートに沿って該金属シートと前記無線通信手段との間に位置して設けられた電波吸収シートとからなる電波遮断手段とを具備する。
【０００６】
本発明の印刷装置は、無線タグを搬送路に沿って順次、無線通信位置に搬送する搬送手段と、この搬送手段によって前記無線通信位置に搬送される前記無線タグに対し無線通信を行なう無線通信手段と、この無線通信手段から前記無線通信位置以外の前記無線タグに向かう電波を遮るように前記搬送路に沿って設けられた金属シート、及びこの金属シートに沿って該金属シートと前記無線通信手段との間に位置して設けられた電波吸収シートとからなる電波遮断手段と、前記無線通信手段によって無線通信された前記無線タグの表面に情報を印字する印字手段とを具備する。
【発明の効果】
【０００７】
本発明によれば、簡単な構成で、ターゲット以外の無線タグとの無線通信を規制し、ターゲットの無線タグと確実に無線通信できる。
【発明を実施するための最良の形態】
【０００８】
以下、本発明の実施の形態を図面を参照して詳細に説明する。  
図１は本発明の一実施の形態である印刷装置としての無線タグ発行装置を示す概略構成図である。
【０００９】
無線タグ発行装置は筐体１を備え、この筐体１内には無線タグに対する印字を行う印字手段としての印字部２と無線タグ１５に対して無線通信を行う無線通信装置３が配設されている。
【００１０】
印字部２は、幅方向に沿って多数個の発熱素子を並べたサーマルヘッド４とインクリボン５を備えている。インクリボン５はリボンコア６から送り出され、途中サーマルヘッド４に接し、最後にリボンコア７によって巻き取られるようになっている。サーマルヘッド４にはインクリボン５を介してプラテンローラ１３が対向されている。
【００１１】
無線通信装置３は、無線タグ１５を搬送路８に沿ってサーマルヘッド手前側の無線通信位置９に搬送する搬送手段１０と、この搬送手段１０によって無線通信位置９に搬送される無線タグ１５に対し無線通信する無線通信手段１１とによって構成されている。
【００１２】
搬送手段１０は、図２にも示すように無線タグ１５をその搬送方向に沿って所定間隔を存して貼り付ける台紙１６と、この台紙１６を送り出す送出コア１７と、台紙１６を掛け渡す上記プラテンローラ１３と、台紙１６を巻き取る巻取コア１８とによって構成されている。
【００１３】
図３は台紙１６に所定間隔を存して複数取付けられる無線タグ１５を示す側断面図である。
【００１４】
無線タグ１５は、台紙１６の上に形成される接着層２１と、この接着層２１上に載置される無線タグインレット２２と、この無線タグインレット２２上に形成される印字層２３とによって構成されている。印字層２３の上面が印字面とされ、印字部２による印字が可能になっている。
【００１５】
無線タグ１５の接着層２１は、台紙１６から剥がすことが可能で、他の物に貼り付けることができる接着材で形成されている。無線タグインレット２２には、後述するようにアンテナ２５と送受信部２６を有するＩＣチップが配設されている。
【００１６】
図４は無線タグ発行装置の制御構成を示すブロック図である。
【００１７】
図４中２８は、装置全体の制御を実行する制御部である。上記した無線通信手段１１は、アンテナ２９と送受信部３０とからなる。制御部２８は、無線通信手段１１の送受信部３０、及び無線タグの表面に印字する印字部２を制御する。また、制御部２８は、リボンコア６、７、プラテンローラ１３、送出し及び巻取りコア１７，１８をそれぞれ駆動する駆動部３１を制御するようになっている。
【００１８】
無線タグ１５はアンテナ２５と送受信部２６からなり、送受信部２６にはＩＤやその他のデータを記憶する記憶部が設けられている。この無線タグ１５に対して無線通信手段１１の送受信部３０によりアンテナ２９を介して情報の書き込みや読み取りが行われる。
【００１９】
すなわち、無線通信手段１１の送受信部３０からの送信信号は、アンテナ２９から電波として放射され、無線タグ１５はアンテナ２５で受信すると、送受信部２６に信号が伝達される。送受信部２６は受信した信号から情報を取り出しこの情報に応じた動作をする。また、無線タグ１５の送受信部２６が送信を行うと、アンテナ２５から無線通信手段１１のアンテナ２９を介して送受信部３０に情報が伝送される。
【００２０】
ところで、上記したようにアンテナ２９から放射される電波は、ターゲット以外の無線タグ１５にも到達して誤動作させてしまう虞れがある。
【００２１】
そこで、この実施の形態では、後で詳しく述べるように、金属シート３３と電波吸収シート３５からなる電波遮断手段２０を設け、ターゲット以外の無線タグ１５の近傍に金属シート３３を配置することにより、金属シート近傍の無線タグ１５の周波数をずらして無線通信させないようにしている。
【００２２】
また、金属シート３３と電波吸収シート３５を用いることにより、金属シート３３で反射される電波を電波吸収シート３５で吸収して筐体１内で回り込む電波の発生を抑制することができるようになっている。
【００２３】
次に、電波遮断手段２０について詳しく述べる。
【００２４】
電波遮断手段２０は、図１に示すように、無線タグ１５の搬送路８に無線通信位置９の上流側に位置して無線タグ搬送方向に沿って設けられている。なお、電波遮断手段２０は、無線タグの搬送経路上の適宜必要なところに設けるものであってもよい。
【００２５】
電波遮断手段２０の金属シート３３は、台紙１６の下面側に対向して設けられている。即ち、金属シート３３は、アンテナ２９から無線通信位置９以外の無線タグに向かう電波を遮るように搬送路８に沿って設けられている。また、電波吸収シート３５は金属シート３３の下面側に設けられ、金属シート３３とアンテナ２９との間に位置されている。
【００２６】
図５は電波遮断手段２０を示す側面図である。
【００２７】
電波遮断手段２０は、例えば、アルミニュームやニッケルなどの金属シート３３と、この金属シート３３の下面部に接着層３４を介して接着される例えば、ウレタンやカーボンなどの電波吸収シート３５とによって構成されている。金属シート３３の上面側はラミネート材３６によってラミネートされ、電波吸収シート３５の下面側には接着剤３７が付着されている。この電波遮断手段２０は接着剤３７を介して図示しない取付部に接着固定される。
【００２８】
上記した無線通信時には、無線通信手段１１の送受信部３０からの送信信号が、アンテナ２９から電波として放射されるが、この電波は無線通信位置９に搬送されたターゲットの無線タグ１５のみならず、無線通信位置９の上流側に位置するターゲット以外の無線タグ１５に向かっても放射されて無線通信しようとする。
【００２９】
しかしながら、ターゲット以外の無線タグ１５の下部側には電波遮断手段２０が設けられるため、ターゲット以外の無線タグ１５に向かって放射される電波は、図５に矢印で示すように電波吸収シート３５を通過して一部吸収されてから金属シート３３に到達して反射される。そして、この反射される電波は、再度、電波吸収シート３５を通ることにより吸収されることになる。
【００３０】
このように、金属シート３３に向かう電波、及び金属シート３３から反射される電波が電波吸収シート３５によってそれぞれ吸収されるため、ターゲット以外の無線タグ１５に電波が到達することがなく、無線通信を確実に防止することができる。
【００３１】
なお、電波遮断手段２０を金属シート３３のみによって構成した場合には、アンテナ２９から放射されてターゲット以外の無線タグ１５に向かう電波を遮断することはできるが、金属シート３３によって反射される電波が筐体１内で乱反射されてしまい、この乱反射される電波がターゲット以外の無線タグ１５に到達して無線通信してしまう虞がある。従って、このような電波の乱反射を防止するため、金属シート３３の下面側に電波吸収シート３５を設けている。
【００３２】
上記したように、この実施の形態によれば、電波遮断手段２０を金属シート３３と電波吸収シート３５とによって構成し、無線タグの搬送路８に沿って設けるだけでターゲット以外の無線タグ１５に向かって放射される電波を遮断して、ターゲットの無線タグ１５と無線通信することが可能となり、従来のものと比較して構成的に簡略化でき、コストを低減できる。
【００３３】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３４】
【図１】本発明の一実施の形態である印刷装置を示す概略的構成図。
【図２】図１の無線タグを貼りつける台紙、及び電波遮断部材を示す斜視図。
【図３】図１の無線タグを示す側断面図。
【図４】図１の印刷装置の制御系を示すブロック図。
【図５】図１の電波遮断部材を示す側面図。
【符号の説明】
【００３５】
２…印字部（印字手段）、８…搬送路、９…無線通信位置、１０…搬送手段、１１…無線通信手段、１５…無線タグ、２０…電波遮断手段、３３…金属シート、３４…接着層、３５…電波吸収シート。
【図１】
2010074669.tif 000003
【図２】
2010074669.tif 000004
【図３】
2010074669.tif 000005
【図４】
2010074669.tif 000006
【図５】
2010074669.tif 000007